【手続補正書】
【提出日】平成23年1月17日(2011.1.17)
【手続補正１】
【補正対象書類名】特許請求の範囲
【補正対象項目名】全文
【補正方法】変更
【補正の内容】
【特許請求の範囲】
【請求項１】
無線ネットワークにおいて通信を行う方法であって、前記無線ネットワークにおいて、高速物理チャネルおよび低速物理チャネルが通信に使用され、前記無線ネットワークは、調整器と少なくとも一つのデバイスとを含み、前記方法は、
前記調整器において、前記少なくとも一つのデバイスの中で、代替調整器になる最も高い優先順位を有するデバイスを選択することであって、前記代替調整器は、前記調整器がハンドオーバーなしで前記無線ネットワークから離れたときに前記無線ネットワークの次の調整器として作用する、ことと、
前記デバイスが、前記調整器から前記次の調整器として選択されたことを示す情報を含むビーコンを前記少なくとも一つのデバイスに放送すること、
前記無線ネットワークを構成する前記少なくとも一つのデバイスに関する情報を含むハンドオーバー要請メッセージを、前記調整器から前記次の調整器に送信することと、
前記調整器による前記ハンドオーバー要請メッセージに応答して、前記次の調整器から、ハンドオーバー応答メッセージを受信することであって、前記ハンドオーバー応答メッセージは、「成功」に設定されたリーズンコードフィールドを含む、ことと
を含み、前記次の調整器は、前記次の調整器が、前記ビーコンが受信されるべき時間間隔内にビーコンを受信することに失敗した場合には、確認要請コマンドを前記調整器に送信し、
前記次の調整器は、前記次の調整器が、前記確認要請コマンドに応答して肯定応答が受信されていないことを認識した後に、前記低速物理チャネルを介して、ビーコンを前記無線ネットワークの新しい調整器として放送する、方法。
【請求項２】
前記新しい調整器として作用するために必要な情報を、前記調整器から前記次の調整器に送信することをさらに含む、請求項１に記載の方法。
【請求項３】
前記次の調整器によって送信された前記ビーコンは、前記新しい調整器についての情報を含む、請求項１に記載の方法。
【請求項４】
無線ネットワークにおけるデバイスにおいて通信を行う方法であって、前記無線ネットワークにおいて、高速物理チャネルおよび低速物理チャネルが通信に使用され、前記無線ネットワークは、調整器と少なくとも一つのデバイスとを含み、前記方法は、
前記調整器によって放送されたビーコンを受信することであって、前記ビーコンは、前記デバイスが代替調整器として選択されたことを示す情報を含み、前記代替調整器は、前記調整器がハンドオーバーなしで前記無線ネットワークから離れたときに前記無線ネットワークの次の調整器として作用する、ことと、
前記無線ネットワークを構成する前記少なくとも一つのデバイスに関する情報を含むハンドオーバー要請メッセージを、前記調整器から受信することと、
前記ハンドオーバー要請メッセージに応答して、ハンドオーバー応答メッセージを前記調整器に送信することであって、前記ハンドオーバー応答メッセージは、「成功」に設定されたリーズンコードフィールドを含む、ことと、
前記次の調整器が、前記ビーコンが受信されるべき時間間隔内にビーコンを受信することに失敗した場合には、確認要請コマンドを前記調整器に送信することと、
前記次の調整器が、前記確認要請コマンドに応答して肯定応答が受信されていないことを認識した後に、前記低速物理チャネルを介して、ビーコンを前記無線ネットワークの新しい調整器として送信することと
を含み、前記次の調整器は、前記少なくとも一つのデバイスの中で、前記次の調整器として選択される最も高い優先順位を有する、方法。
【請求項５】
前記新しい調整器として作用するために必要な情報を、前記調整器から受信することをさらに含む、請求項４に記載の方法。
【請求項６】
前記次の調整器によって送信された前記ビーコンは、前記新しい調整器についての情報を含む、請求項４に記載の方法。
【手続補正２】
【補正対象書類名】明細書
【補正対象項目名】００１１
【補正方法】変更
【補正の内容】
【００１１】
なお、ハンドオーバーまたはリカバリ動作を行う前に、予備ハンドオーバー（ｐｒｅｌｉｍｉｎａｒｙ  ｈａｎｄｏｖｅｒ）過程が行なわれることができる。予備ハンドオーバー過程とは、ハンドオーバーの対象となるデバイスにハンドオーバーに必要な情報及び／または調整機能遂行に必要な情報（ｃｏｏｒｄｉｎａｔｏｒ  ｒｅｌｅｖａｎｔ  ｉｎｆｏｒｍａｔｉｏｎ）を現調整器が送信し、これを受信するデバイスが、それらハンドオーバーに必要な情報及び／または調整機能遂行に必要な情報を格納する過程のことを意味する。
例えば、本発明は以下の項目を提供する。
（項目１）
調整器（ｃｏｏｒｄｉｎａｔｏｒ）と少なくとも一つのデバイス（Ｄｅｖｉｃｅ）を含む無線ネットワークの上記調整器での通信方法であって、
上記少なくとも一つのデバイスのうち、調整機能に対する優先順位の最も高いデバイスにハンドオーバーを要請するメッセージを送信する段階と、
上記デバイスに調整機能遂行に必要な情報（Ｃｏｏｒｄｉｎａｔｏｒ  ｒｅｌｅｖａｎｔ  ｉｎｆｏｒｍａｔｉｏｎ）を送信する段階と、
上記ハンドオーバー要請メッセージに対してハンドオーバーを受諾する情報を含む応答メッセージを受信する段階と、
上記デバイスが新しい調整器になったことを知らせる情報を含むビーコン（ｂｅａｃｏｎ）を放送（ｂｒｏａｄｃａｓｔｉｎｇ）する段階と、
を含む通信方法。
（項目２）
上記デバイスにハンドオーバーを要請するメッセージを送信する段階において、上記デバイスは、上記ネットワークに新しく加入したデバイスであり、上記調整器は、新しく加入した上記デバイスから上記デバイスの優先順位に関する情報を受信し、上記優先順位が上記調整器の優先順位よりも高い場合、上記デバイスに上記ハンドオーバーを要請するメッセージを送信することを特徴とする項目１に記載の通信方法。
（項目３）
上記調整機能遂行に必要な情報は、予約されたチャネル時間情報（ｃｕｒｒｅｎｔ  ｒｅｑｕｅｓｔｓ  ｆｒｏｍ  ｔｈｅ  ｄｅｖｉｃｅｓ  ｆｏｒ  ＣＴＢｓ）、デバイス性能、デバイスＩＤ及びデバイスのパワー保存状態（ｐｏｗｅｒ  ｓａｖｅ  ｓｔａｔｕｓ）を含む現ネットワークを構成するデバイスに関する情報、及び各デバイスの優先順位に関する情報のうち少なくとも一つを含むことを特徴とする項目１に記載の通信方法。
（項目４）
上記ビーコンは、新しい調整器に関する情報及び調整器の調整機能が終了するまで残っている時間に関する情報のうち少なくとも一つを含むことを特徴とする項目１に記載の通信方法。
（項目５）
上記調整器の調整機能が終了するまで残っている時間に放送されるビーコンのうち最後のビーコンが放送された後、上記デバイスが放送するビーコンを受信する段階をさらに含むことを特徴とする項目４に記載の通信方法。
（項目６）
上記調整器が第１ビーコンを転送した時点から上記デバイスが第２ビーコンを転送する時点まで、ネットワークを構成するデバイスが転送する所定の要請メッセージを拒絶する段階をさらに含むことを特徴とする項目１に記載の通信方法。
（項目７）
調整器を含む無線ネットワークにおける通信方法であって、
上記ネットワークにデバイスが加入すると、上記デバイスの優先順位に関する情報を受信する段階と、
上記優先順位が上記調整器の優先順位よりも高い場合、上記デバイスに調整機能遂行に必要な情報（Ｃｏｏｒｄｉｎａｔｏｒ  ｒｅｌｅｖａｎｔ  ｉｎｆｏｒｍａｔｉｏｎ）を含むハンドオーバー要請メッセージを転送する段階と、
上記ハンドオーバー要請メッセージに対する応答として上記ハンドオーバーを受諾する情報を含む応答メッセージを受信する段階と、
上記デバイスが新しい調整器になったことを知らせる情報を含むビーコンを放送する段階と、
を含む通信方法。
（項目８）
優先順位は、上記デバイス及び上記調整器のうち少なくとも一つが上記デバイスの装置的特徴、ネットワーク状況を含む所定の評価基準によって決定することを特徴とする項目７に記載の通信方法。
（項目９）
上記調整機能遂行に必要な情報は、予約されたチャネル時間情報（ｃｕｒｒｅｎｔ  ｒｅｑｕｅｓｔｓ  ｆｒｏｍ  ｔｈｅ  ｄｅｖｉｃｅｓ  ｆｏｒ  ＣＴＢｓ）、デバイス性能、デバイスＩＤ及びデバイスのパワー保存状態（ｐｏｗｅｒ  ｓａｖｅ  ｓｔａｔｕｓ）を含む現ネットワークを構成するデバイスに関する情報、及び各デバイスの優先順位に関する情報のうち少なくとも一つをを含むことを特徴とする項目７に記載の通信方法。
（項目１０）
上記調整器の調整機能が終了するまで残っている時間に放送されるビーコンのうち最後のビーコンが放送された後、上記デバイスが放送するビーコンを受信する段階をさらに含むことを特徴とする項目７に記載の通信方法。
（項目１１）
調整器と少なくとも一つのデバイスを含む無線ネットワークの上記調整器での通信方法であって、
上記少なくとも一つのデバイスのうち最も高い優先順位を持つ第１デバイスに、調整機能遂行に必要な情報（Ｃｏｏｒｄｉｎａｔｏｒ  ｒｅｌｅｖａｎｔ  ｉｎｆｏｒｍａｔｉｏｎ）を含む第１ハンドオーバーを要請するメッセージを転送する段階と、
上記第１ハンドオーバー要請メッセージに対してハンドオーバーを拒絶する情報を含む応答メッセージを受信する段階と、
上記少なくとも一つのデバイスのうち２番目の優先順位を持つ第２デバイスに第２ハンドオーバー要請メッセージを転送する段階と、
を含む通信方法。
（項目１２）
調整器と少なくとも一つのデバイスを含む無線ネットワークの上記調整器での通信方法であって、
上記少なくとも一つのデバイスのうち最も高い優先順位を持つ第１デバイスに、調整機能遂行に必要な情報（Ｃｏｏｒｄｉｎａｔｏｒ  ｒｅｌｅｖａｎｔ  ｉｎｆｏｒｍａｔｉｏｎ）を含む第１ハンドオーバーを要請するメッセージを転送する段階と、
上記第１ハンドオーバー要請メッセージに対する応答メッセージが一定時間受信されない場合、上記少なくとも一つのデバイスのうち２番目の優先順位を持つ第２デバイスに第２ハンドオーバー要請メッセージを転送する段階と、
を含む通信方法。
（項目１３）
調整器及び少なくとも一つのデバイスを含む無線ネットワークの調整器での通信方法であって、
上記無線ネットワークに加入したデバイスの中から最も高い優先順位を持つデバイスを代替調整器として選択する段階と、
上記最も高い優先順位を持つデバイスが代替調整器と指定されたことを知らせるメッセージを送信する段階と、
上記最も高い優先順位を持つデバイスに調整機能遂行に必要な情報（Ｃｏｏｒｄｉｎａｔｏｒ  ｒｅｌｅｖａｎｔ  ｉｎｆｏｒｍａｔｉｏｎ）を送信する段階と、
を含み、
上記代替調整器として選択されたデバイスは、上記調整器からビーコン受信予想時点に上記ビーコンを受信できない場合、上記無線ネットワークで新しい調整器として動作する、通信方法。
（項目１４）
上記優先順位を決定するデバイスの特性には、デバイスが接近できる他のデバイスの個数、デバイスの電源が維持される時間、転送パワーのうち少なくとも一つが含まれることを特徴とする項目１３に記載の通信方法。
（項目１５）
調整器及び少なくとも一つのデバイスを含む無線ネットワークの特定デバイスでの通信方法であって、
上記調整器から代替調整器として選択されたことを指示するバックアップメッセージを受信する段階と、
ビーコン受信予想時点に上記調整器から上記ビーコンを受信できない場合、上記無線ネットワークにビーコンを転送する段階と、
を含む通信方法。
（項目１６）
上記バックアップメッセージを受信した後、
上記調整器から調整機能遂行に必要な情報（Ｃｏｏｒｄｉｎａｔｏｒ  ｒｅｌｅｖａｎｔ  ｉｎｆｏｒｍａｔｉｏｎ）を含むビーコンを受信する段階と、
上記調整機能遂行に必要な情報を保存する段階と、をさらに含むことを特徴とする項目１５に記載の通信方法。
（項目１７）
上記特定デバイスは、調整機能に対する優先順位に基づいて決定されることを特徴とする項目１５に記載の通信方法。
（項目１８）
上記優先順位を決定するデバイスの特性には、デバイスが接近できる他のデバイスの個数、デバイスの電源が維持される時間、転送パワーのうち少なくとも一つが含まれることを特徴とする項目１７に記載の通信方法。
（項目１９）
上記代替調整器が放送するビーコンは、新しい調整器に関する情報を含むことを特徴とする項目１７に記載の通信方法。
（項目２０）
調整器及び少なくとも一つのデバイスを含む無線ネットワークの特定デバイスでの通信方法であって、
上記調整器から代替調整器として選択されたことを指示するバックアップメッセージを受信する段階と、
ビーコン受信予想時点に上記調整器から上記ビーコンを受信できない場合、上記調整器が調整機能を持続できるか否かを確認するメッセージを上記調整器に転送する段階と、
所定時間内に上記確認メッセージに対して応答するメッセージを受信できない場合、上記無線ネットワークにビーコンを放送する段階と、
を含む通信方法。
（項目２１）
上記所定時間は、ランダム接近タイムブロック（Ｒａｎｄｏｍ  Ａｃｃｅｓｓ  Ｔｉｍｅ  Ｂｌｏｃｋ：ＲＡＴＢ）であることを特徴とする項目２０に記載の通信方法。
（項目２２）
調整器と一つ以上のデバイスを含む無線ネットワークでの通信方法であって、
上記調整器から調整機能に対する優先順位リストを受信する段階と、
上記優先順位リストで最も高い優先順位を持つデバイスが、設定されたタイミングにビーコンを受信できない場合、次のビーコン転送タイミングに上記ネットワークにビーコンを放送する段階と、
を含む通信方法。
（項目２３）
上記放送されるビーコンは、新しい調整器に関する情報を含むことを特徴とする項目２２に記載の方法。